(57)【特許請求の範囲】
【請求項１】
物体側より像側へ順に配置された、正の屈折力の第１レンズ群、負の屈折力の第２レンズ群、正の屈折力の第３レンズ群、１以上のレンズ群を含む後群より構成され、
広角端に比べて望遠端において、前記第１レンズ群と前記第２レンズ群の間隔が広がり、前記第２レンズ群と前記第３レンズ群との間隔が狭まり、ズーミングに際して隣り合うレンズ群の間隔が変化するズームレンズであって、
前記第１レンズ群は、該第１レンズ群の中で最も広い間隔を空けて物体側より像側へ順に配置された、正の屈折力の第１ａ部分レンズ群と負の屈折力の第１ｂ部分レンズ群からなり、
望遠端における全系の焦点距離をｆｔ、前記第１ａ部分レンズ群の焦点距離をｆ１ａ、前記第１ｂ部分レンズ群の横倍率をβ１ｂ、望遠端における第２レンズ群の横倍率をβ２ｔとするとき、
０．１０＜ｆ１ａ／ｆｔ＜０．６０
−０．７０＜β１ｂ／β２ｔ＜−０．２０
なる条件式を満足することを特徴とするズームレンズ。
【請求項２】
前記第２レンズ群と前記第３レンズ群の間、又は前記第３レンズ群内に開口絞りが配置されており、ズーミングに際して前記第１レンズ群と前記開口絞りと前記第３レンズ群は不動であることを特徴とする請求項１に記載のズームレンズ。
【請求項３】
前記第１レンズ群は、２枚以上の正レンズと１枚以上の負レンズを有することを特徴とする請求項１又は２に記載のズームレンズ。
【請求項４】
前記第２レンズ群は、１枚以上の正レンズと２枚以上の負レンズを有することを特徴とする請求項１乃至３のいずれか１項に記載のズームレンズ。
【請求項５】
前記第３レンズ群は、１枚以上の正レンズと１枚以上の負レンズを有し、前記第３レンズ群に含まれる正レンズのうち少なくとも一つは、非球面を備えることを特徴とする請求項１乃至４のいずれか１項に記載のズームレンズ。
【請求項６】
前記第１ａ部分レンズ群の焦点距離をｆ１ａ、前記第２レンズ群の焦点距離をｆ２とするとき、
−１０．０＜ｆ１ａ／ｆ２＜−２．０
なる条件式を満足することを特徴とする請求項１乃至５のいずれか１項に記載のズームレンズ。
【請求項７】
前記第１レンズ群の焦点距離をｆ１、前記第２レンズ群の焦点距離をｆ２とするとき、
−２０．０＜ｆ１／ｆ２＜−５．０
なる条件式を満足することを特徴とする請求項１乃至６のいずれか１項に記載のズームレンズ。
【請求項８】
前記第２レンズ群の焦点距離をｆ２、広角端における全系の焦点距離をｆｗとするとき、
−０．８０＜ｆ２／ｆｗ＜−０．３０
なる条件式を満足することを特徴とする請求項１乃至７のいずれか１項に記載のズームレンズ。
【請求項９】
前記第１ａ部分レンズ群と前記第１ｂ部分レンズ群との間隔をＬａｂとするとき、
０．０３＜Ｌａｂ／ｆ１ａ＜１．００
なる条件式を満足することを特徴とする請求項１乃至８のいずれか１項に記載のズームレンズ。
【請求項１０】
前記第２レンズ群の焦点距離をｆ２、前記第１ａ部分レンズ群と前記第１ｂ部分レンズ群との間隔をＬａｂとするとき、
−５．０＜Ｌａｂ／ｆ２＜−０．１
なる条件式を満足することを特徴とする請求項１乃至９のいずれか１項に記載のズームレンズ。
【請求項１１】
前記後群は、物体側より像側へ順に配置された、負の屈折力の第４レンズ群と正の屈折力の第５レンズ群より構成されることを特徴とする請求項１乃至１０のいずれか１項に記載のズームレンズ。
【請求項１２】
広角端から望遠端へのズーミングに際して、前記第２レンズ群は像側へ移動し、前記第４レンズ群は像側へ移動した後に物体側へ移動することを特徴とする請求項１１に記載のズームレンズ。
【請求項１３】
無限遠から近距離へのフォーカシングに際して、前記第４レンズ群は像側へ移動することを特徴とする請求項１１又は１２に記載のズームレンズ。
【請求項１４】
前記後群は、正の屈折力の第４レンズ群より構成されることを特徴とする請求項１乃至１０のいずれか１項に記載のズームレンズ。
【請求項１５】
広角端から望遠端へのズーミングに際して、前記第２レンズ群は像側へ移動し、前記第４レンズ群は物体側へ移動した後に像側へ移動することを特徴とする請求項１４に記載のズームレンズ。
【請求項１６】
無限遠から近距離へのフォーカシングに際して、前記第４レンズ群は物体側へ移動することを特徴とする請求項１４又は１５に記載のズームレンズ。
【請求項１７】
請求項１乃至１６のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いた撮像装置は高機能化され、又装置全体が小型化されている。そしてそれに用いる撮像光学系としてはレンズ全長が短く、コンパクト（小型）で、望遠側の焦点距離が長く、かつ口径が大きく（大口径で）明るい高ズーム比のズームレンズであることが要求されている。
【０００３】
これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。ポジティブリード型のズームレンズとして、物体側より像側へ順に、正、負、正、正の屈折力の４つのレンズ群より成る４群ズームレンズが知られている。このポジティブリード型の４群ズームレンズにおいてズーミングに際して、第２レンズ群，第４レンズ群が移動するズームレンズが知られている（特許文献１）。
【０００４】
またポジティブリード型のズームレンズとして、物体側より像側へ順に正、負、正、負、正の屈折力のレンズ群より成る５群ズームレンズが知られている。この５群ズームレンズにおいてズーミングに際して第２レンズ群ないし第５レンズ群が移動するズームレンズが知られている（特許文献２）。またこの５群ズームレンズにおいてズーミングに際して第２レンズ群ないし第４レンズ群が移動するズームレンズが知られている（特許文献３）。
【先行技術文献】
【特許文献】
【０００５】
【特許文献１】特開２００７−３２８００６号公報
【特許文献２】特開平０９−３２５２７４号公報
【特許文献３】特開２０１２−４７８１４号公報
【発明の概要】
【発明が解決しようとする課題】
【０００６】
撮像装置に使用されるズームレンズには、全系が小型で望遠側の焦点距離が長く、大口径比、高ズーム比であり、しかもズーム全域において高い光学性能を有していることが要望されている。前述したポジティブリード型の４群ズームレンズや５群ズームレンズは全系の小型化を図りつつ、高ズーム比化を図ることが比較的容易である。しかしながら大口径比化及び高ズーム比化を図りつつ、高い光学性能を得るためには、ズームレンズを構成する各レンズ群の屈折力（光学的パワー＝焦点距離の逆数）やズーミングに際しての各レンズ群の移動条件等を適切に設定することが重要になってくる。
【０００７】
この他、開口絞りの位置や開口絞りよりも物体側のレンズ群のレンズ構成等を適切に設定することが重要になってくる。例えば第１レンズ群の屈折力やレンズ構成、そして変倍用の第２レンズ群の結像倍率等を適切に設定することが重要になってくる。これらの構成を適切に設定しないと大口径比で、望遠端の焦点距離が長く高ズーム比化を図りつつ、全ズーム範囲にわたり高い光学性能を得るのが難しくなってくる。
【０００８】
本発明は大口径比で望遠側の焦点距離が長く、高ズーム比で全ズーム範囲にわたり高い光学性能を有するズームレンズ及びそれを有する撮像装置の提供を目的とする。
【課題を解決するための手段】
【０００９】
本発明のズームレンズは、物体側より像側へ順に配置された、正の屈折力の第１レンズ群、負の屈折力の第２レンズ群、正の屈折力の第３レンズ群、１以上のレンズ群を含む後群より構成され、
広角端に比べて望遠端において、前記第１レンズ群と前記第２レンズ群の間隔が広がり、前記第２レンズ群と前記第３レンズ群との間隔が狭まり、ズーミングに際して隣り合うレンズ群の間隔が変化するズームレンズであって、
前記第１レンズ群は、該第１レンズ群の中で最も広い間隔を空けて物体側より像側へ順に配置された、正の屈折力の第１ａ部分レンズ群と負の屈折力の第１ｂ部分レンズ群からなり、
望遠端における全系の焦点距離をｆｔ、前記第１ａ部分レンズ群の焦点距離をｆ１ａ、前記第１ｂ部分レンズ群の横倍率をβ１ｂ、望遠端における第２レンズ群の横倍率をβ２ｔとするとき、
０．１０＜ｆ１ａ／ｆｔ＜０．６０
−０．７０＜β１ｂ／β２ｔ＜−０．２０
なる条件式を満足することを特徴としている。
【発明の効果】
【００１０】
本発明によれば、大口径比で望遠側の焦点距離が長く、高ズーム比で全ズーム範囲にわたり高い光学性能を有するズームレンズが得られる。
【図面の簡単な説明】
【００１１】
【図１】実施例１のズームレンズの広角端におけるレンズ断面図
【図２】（Ａ）、（Ｂ）、（Ｃ）  実施例１のズームレンズの広角端、中間のズーム位置、望遠端における収差図
【図３】実施例２のズームレンズの広角端におけるレンズ断面図
【図４】（Ａ）、（Ｂ）、（Ｃ）  実施例２のズームレンズの広角端、中間のズーム位置、望遠端における収差図
【図５】実施例３のズームレンズの広角端におけるレンズ断面図
【図６】（Ａ）、（Ｂ）、（Ｃ）  実施例３のズームレンズの広角端、中間のズーム位置、望遠端における収差図
【図７】実施例４のズームレンズの広角端におけるレンズ断面図
【図８】（Ａ）、（Ｂ）、（Ｃ）  実施例４のズームレンズの広角端、中間のズーム位置、望遠端における収差図
【図９】実施例５のズームレンズの広角端におけるレンズ断面図
【図１０】（Ａ）、（Ｂ）、（Ｃ）  実施例５のズームレンズの広角端、中間のズーム位置、望遠端における収差図
【図１１】実施例６のズームレンズの広角端におけるレンズ断面図
【図１２】（Ａ）、（Ｂ）、（Ｃ）  実施例６のズームレンズの広角端、中間のズーム位置、望遠端における収差図
【図１３】実施例７のズームレンズの広角端におけるレンズ断面図
【図１４】（Ａ）、（Ｂ）、（Ｃ）  実施例７のズームレンズの広角端、中間のズーム位置、望遠端における収差図
【図１５】実施例８のズームレンズの広角端におけるレンズ断面図
【図１６】（Ａ）、（Ｂ）、（Ｃ）  実施例８のズームレンズの広角端、中間のズーム位置、望遠端における収差図
【図１７】本発明のズームレンズを搭載する撮像装置（監視カメラ）の装置図
【発明を実施するための形態】
【００１２】
以下、本発明のズームレンズ及びそれを有する撮像装置を図面に基づいて説明する。本発明のズームレンズは、物体側から像側へ順に配置された、正の屈折力（光学的パワー＝焦点距離の逆数）の第１レンズ群、負の屈折力の第２レンズ群、正の屈折力の第３レンズ群と、１つ以上のレンズ群を有する後群より構成している。
【００１３】
広角端に比べて望遠端において、第１レンズ群と第２レンズ群の間隔が広がり、第２レンズ群と第３レンズ群の間隔が狭まる。ズーミングに際して隣り合うレンズ群の間隔が変化する。第１レンズ群は、最も広い空気間隔を隔てて、物体側から像側へ順に、正の屈折力の第１ａ部分レンズ群と、負の屈折力の第１ｂ部分レンズ群とで構成される。
【００１４】
図１は、本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比４．８１、開口比（Ｆナンバー）１．８５〜２．４７程度のズームレンズである。
【００１５】
図３は、本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比４．８０、開口比１．８５〜２．４７程度のズームレンズである。
【００１６】
図５は、本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比４．８１、開口比１．８５〜２．４７程度のズームレンズである。
【００１７】
図７は、本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比７．９５、開口比１．８５〜２．４７程度のズームレンズである。
【００１８】
図９は、本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比７．６９、開口比１．８５〜３．９１程度のズームレンズである。
【００１９】
図１１は、本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比７．６９、開口比１．８５〜３．９１程度のズームレンズである。
【００２０】
図１３は、本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比４．９５、開口比１．８５〜２．４７程度のズームレンズである。
【００２１】
図１５は、本発明の実施例８のズームレンズの広角端におけるレンズ断面図である。図１６（Ａ）、（Ｂ）、（Ｃ）はそれぞれ実施例８のズームレンズの広角端、中間のズーム位置、望遠端における収差図である。実施例８はズーム比５．００、開口比１．８５〜２．４７程度のズームレンズである。図１７は本発明のズームレンズを備える監視カメラ（撮像装置）の要部概略図である。
【００２２】
各実施例のズームレンズは監視カメラ、ビデオカメラ、デジタルスチルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。ＬＲは１以上のレンズ群を有する後群である。
【００２３】
ＳＰは開口絞りである。ＧＢは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。
【００２４】
矢印は広角端から望遠端へのズーミング（変倍）に際して、各レンズ群の移動軌跡と、フォーカシングの際のレンズ群の移動方向を示している。球面収差図において、ｄはｄ線（波長５８７．６ｎｍ）、ｇはｇ線（波長４３５．８ｎｍ）である。非点収差図でＳはｄ線におけるサジタル像面、Ｍはｄ線におけるメリディオナル像面である。歪曲収差はｄ線について示している。倍率色収差図においてｇはｇ線である。収差図においてＦｎｏはＦナンバー、ωは半画角（度）である。
【００２５】
尚、以下の各実施例において広角端と望遠端は変倍用のレンズ群が機構上、光軸上を移動可能な範囲の両端に位置したときのズーム位置をいう。
【００２６】
実施例１乃至７において、Ｌ１は正の屈折力の第１レンズ群、Ｌ２は負の屈折力の第２レンズ群、Ｌ３は正の屈折力の第３レンズ群である。後群ＬＲは物体側から像側へ順に配置された、負の屈折力の第４レンズ群Ｌ４と正の屈折力の第５レンズ群Ｌ５より構成されている。開口絞りＳＰは第３レンズ群Ｌ３の物体側に位置している。広角端から望遠端へのズーミングに際して、第２レンズ群Ｌ２は像側に移動する。第４レンズ群Ｌ４は像側に凸状の軌跡で移動する。即ち像側へ移動した後に物体側へ移動する。
【００２７】
実施例１乃至７では第４レンズ群Ｌ４を光軸上を移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。また望遠端において、無限遠物体から近距離物体へフォーカシングを行う場合には、矢印４ｃに示す如く第４レンズ群Ｌ４を像側へ移動することで行っている。
【００２８】
ズーミングに際して第４レンズ群Ｌ４を像側へ凸状の軌跡で移動することで、第４レンズ群Ｌ４と第５レンズ群Ｌ５間の空間の有効利用を図り、効果的にレンズ全長を短縮している。開口絞りＳＰはズーミングに際して不動である。
【００２９】
実施例８において、Ｌ１は正の屈折力を有する第１レンズ群、Ｌ２は負の屈折力を有する第２レンズ群、Ｌ３は正の屈折力を有する第３レンズ群である。後群ＬＲは正の屈折力の第４レンズ群Ｌ４より構成されている。実施例８において、広角端から望遠端へのズーミングに際して、第２レンズ群Ｌ２は像側へ移動する。第４レンズ群Ｌ４は物体側に凸状の軌跡で移動する。即ち物体側へ移動した後に像側へ移動する。開口絞りＳＰはズーミングに際して第３レンズ群Ｌ３と一体的（同じ軌跡で）移動する。
【００３０】
第４レンズ群Ｌ４に関する実線の曲線４ａと点線の曲線４ｂは、各々無限遠物体と近距離物体にフォーカス（合焦）しているときの変倍に伴う像面変動を補正するための移動軌跡である。また望遠端において、無限遠物体から近距離物体へフォーカシングを行う場合には、矢印４ｃに示す如く第４レンズ群Ｌ４を物体側へ移動することで行っている。ズーミングに際して第４レンズ群Ｌ４を物体側へ凸状の軌跡で移動することで、第３レンズ群Ｌ３と第４レンズ群Ｌ４間の空間の有効利用を図り、効果的にレンズ全長を短縮している。
【００３１】
尚、各実施例において第１レンズ群Ｌ１はフォーカスのためには光軸方向に不動であるが、収差補正上必要に応じて移動させても良い。また、第３レンズ群Ｌ３の全体または一部を、光軸に対して垂直方向の成分を持つ方向に移動することで、撮影時にズームレンズが振動したときの撮影画像のブレ（像ぶれ）を補正しても良い。
【００３２】
各実施例のズームレンズは、望遠端の焦点距離が長く、かつ口径が大きく（大口径で）明るいズームレンズでありながら全系が小型になるように各要素を特定している。一般にレンズ全長（第１レンズ面から最終レンズ面までの距離に空気換算長のバックフォーカスを加えた値）が所望の範囲内でありながら、望遠端の焦点距離を長くするためには、全系の主点の位置を物体側へ押し出すことが必要となってくる。
【００３３】
そのため、全系で最も物体側に配置される第１レンズ群Ｌ１のレンズ構成と、ズーミングに際して主変倍レンズ群として光軸上を移動する、第２レンズ群Ｌ２の屈折力を適切に設定することが重要となる。一般に望遠端において口径を大きく明るくしようとすると、ズームレンズの前玉（第１レンズ群）に入射する光束径が大きくなる。高い光学性能を得るためには、諸収差のうち特に球面収差と軸上色収差を好適に補正する必要がある。このため光束径が大きくなる第１レンズ群Ｌ１のレンズ構成が重要な要素となる。
【００３４】
そこで、各実施例では、第１レンズ群Ｌ１を、最も間隔の広い箇所を境界として（隔てて）、物体側から像側へ順に、正の屈折力の第１ａ部分レンズ群Ｌ１ａ、負の屈折力の第１ｂ部分レンズ群Ｌ１ｂとなるように構成している。このようなレンズ構成とすることで、合計では正の屈折力の第１レンズ群Ｌ１の主点位置を物体側へ大きく押し出して、全系の焦点距離を長くしながら、レンズ全長を小型化している。
【００３５】
更に、第１ｂ部分レンズ群Ｌ１ｂが負の屈折力を有することで、主変倍レンズ群であり、負の屈折力の第２レンズ群Ｌ２と、負の屈折力を分担させて、望遠端における全系の焦点距離を長くしつつ諸収差の補正をバランス良く行っている。また、第３レンズ群Ｌ３よりも像側に後群ＬＲを配置することで、全系のペッツバール和を軽減し、かつ像面への光線の入射角を適切に設定し、ズーム全域で良好な光学性能を維持しつつ前玉有効径の小型化及び全系の小型化を図っている。
【００３６】
また各実施例では、望遠端における全系の焦点距離をｆｔとする。第１ａ部分レンズ群Ｌ１ａの焦点距離をｆ１ａ、第１ｂ部分レンズ群Ｌ１ｂの横倍率をβ１ｂ、望遠端における第２レンズ群Ｌ２の横倍率をβ２ｔとする。このとき、
０．１０＜ｆ１ａ／ｆｔ＜０．６０        ・・・（１）
−０．７０＜β１ｂ／β２ｔ＜−０．２０  ・・・（２）
なる条件式を満足する。
【００３７】
次に前述の各条件式の技術的意味について説明する。条件式（１）は、第１ａ部分レンズ群Ｌ１ａの焦点距離と望遠端における全系の焦点距離との比を適切に設定するものである。条件式（１）の上限を超えて、第１ａ部分レンズ群Ｌ１ａのパワー（屈折力）が弱くなると、望遠端において全系の主点位置を物体側へ充分に押し出すことが困難となる。このため、全系の長大化につながり、全系の小型化が困難となる。条件式（１）の下限を超えて、第１ａ部分レンズ群Ｌ１ａのパワーが強くなると、望遠端において球面収差やコマ収差が多く発生し、これらの諸収差の補正が困難となる。
【００３８】
条件式（２）は、第１ｂ部分レンズ群Ｌ１ｂの横倍率と望遠端における第２レンズ群Ｌ２の横倍率との比を適切に設定するものである。条件式（２）の上限を超えると、第２レンズ群Ｌ２のパワーが強くなってきて、変倍に際して像面湾曲の変動や色収差の変動が増大し、これらの諸収差の補正が困難となる。条件式（２）の下限を超えると、第１ｂ部分レンズ群Ｌ１ｂのパワーが強くなってきて、望遠端において球面収差やコマ収差の補正が困難となる。各実施例において、好ましくは条件式（１）、（２）の数値範囲を次の如く設定するのが良い。
【００３９】
０．２０＜ｆ１ａ／ｆｔ＜０．５７        ・・・（１ａ）
−０．６７＜β１ｂ／β２ｔ＜−０．２５  ・・・（２ａ）
更に好ましくは、条件式（１ａ）、（２ａ）の数値範囲を次の如く設定するのが良い。
０．２３＜ｆ１ａ／ｆｔ＜０．５５        ・・・（１ｂ）
−０．６５＜β１ｂ／β２ｔ＜−０．３０  ・・・（２ｂ）
【００４０】
各実施例では、以上の如く構成することにより、全系が小型でありながら、望遠端の焦点距離が長く、かつ口径が大きく明るく、全ズーム範囲にわたり高い光学性能を有したズームレンズが容易に得られる。各実施例において更に好ましくは、次の構成のうち１つ以上を満足するのが良い。
【００４１】
・第２レンズ群Ｌ２と第３レンズ群Ｌ３との間、もしくは第３レンズ群Ｌ３の群内に開口絞りＳＰを配置するのが良い。開口絞りＳＰをこのような位置に配置することで、前玉から開口絞りＳＰまでの距離を適切に設定し、前玉有効径が過剰に大きくなることを軽減することが容易になる。
【００４２】
・ズーミングに際し、第１レンズ群Ｌ１、開口絞りＳＰ、第３レンズ群Ｌ３を不動とするのが良い。このような構成にすることで、全体の装置構造を簡素化することが出来、装置全体の小型化が容易になる。
【００４３】
・第１レンズ群Ｌ１を２枚以上の正レンズと１枚以上の負レンズより構成すること、第２レンズ群Ｌ２を１枚以上の正レンズと２枚以上の負レンズより構成するのが良い。また、第３レンズ群Ｌ３を１枚以上の正レンズと１枚以上の負レンズより構成するのが良い。更に好ましくは第３レンズ群Ｌ３に含まれる正レンズのうち少なくとも１つのレンズ面は非球面形状とするのが良い。
【００４４】
第１レンズ群Ｌ１と第２レンズ群Ｌ２に、正レンズと負レンズを配置すると、各レンズ群内で色収差の補正が容易になる。各レンズ群内で軸上色収差や倍率色収差の補正を良好におこなうことで、広角端から望遠端へのズーミングに際して色収差の変動を軽減し、ズーム全域にわたって高い光学性能を得ることが容易となる。また、第３レンズ群Ｌ３に、正レンズと負レンズを配置すると色収差の補正が容易になる。また、正レンズのレンズ面を非球面形状とすると、広角端において球面収差や像面湾曲の補正が容易になる。
【００４５】
次に各実施例において全系が小型でありながら、望遠端の焦点距離が長く、かつ口径が大きく明るく、しかも、全ズーム範囲にわたり更に高い光学性能を得るためには、以下の条件式のうち１以上を満足することが望ましい。
【００４６】
第１ａ部分レンズ群Ｌ１ａの焦点距離をｆ１ａ、第１レンズ群Ｌ１の焦点距離をｆ１、第２レンズ群Ｌ２の焦点距離をｆ２とする。広角端における全系の焦点距離をｆｗとする。第１ａ部分レンズ群Ｌ１ａと第１ｂ部分レンズ群Ｌ１ｂとの間隔をＬａｂとする。このとき、次の条件式のうち１つ以上を満足するのが良い。
【００４７】
−１０．０＜ｆ１ａ／ｆ２＜−２．０  ・・・（３）
−２０．０＜ｆ１／ｆ２＜−５．０    ・・・（４）
−０．８０＜ｆ２／ｆｗ＜−０．３０  ・・・（５）
０．０３＜Ｌａｂ／ｆ１ａ＜１．００  ・・・（６）
−５．０＜Ｌａｂ／ｆ２＜−０．１    ・・・（７）
【００４８】
次に前述の各条件式の技術的意味について説明する。条件式（３）は、第１ａ部分レンズ群Ｌ１ａの焦点距離と第２レンズ群Ｌ２の焦点距離との比を適切に設定するものである。条件式（３）の上限を超えて、第１ａ部分レンズ群Ｌ１ａのパワーが強くなると、望遠端において球面収差やコマ収差が多く発生し、これらの諸収差の補正が困難となる。条件式（３）の下限を超えて、第１ａ部分レンズ群Ｌ１ａのパワーが弱くなると、望遠端において全系の主点位置を物体側へ多く押し出すことが困難となり、全系が長大化し、全系の小型化が困難となる。
【００４９】
条件式（４）は、第１レンズ群Ｌ１の焦点距離と第２レンズ群Ｌ２の焦点距離との比を適切に設定するものである。条件式（４）の上限を超えて、第１レンズ群Ｌ１のパワーが強くなると、望遠端において球面収差やコマ収差が多く発生し、これらの諸収差の補正が困難となる。条件式（４）の下限を超えて、第２レンズ群Ｌ２のパワーが強くなると、ズーミングに際して像面湾曲の変動や色収差の変動が多くなり、これらの諸収差の補正が困難となる。
【００５０】
条件式（５）は、広角端における全系の焦点距離と第２レンズ群Ｌ２の焦点距離との比を適切に設定するものである。条件式（５）の上限を超えて、第２レンズ群Ｌ２のパワーが強くなると、ズーミングに際して像面湾曲の変動や色収差の変動が多くなり、これらの諸収差の補正が困難となる。条件式（５）の下限を超えて、第２レンズ群Ｌ２のパワーが弱くなると、変倍に必要な第２レンズ群Ｌ２の移動量が増加し、全系が長大化するので良くない。
【００５１】
条件式（６）は、第１ａ部分レンズ群Ｌ１ａと第１ｂ部分レンズ群Ｌ１ｂとの間隔Ｌａｂと、第１ａ部分レンズ群Ｌ１ａの焦点距離との比を適切に設定するものである。条件式（６）の上限を超えて、間隔Ｌａｂが長くなると、全系が長大化するとともに、前玉から開口絞りＳＰまでの距離を適切に設定するのが困難となる。それに伴って、前玉有効径が増大し、全系の小型化が困難となる。条件式（６）の下限を超えて、第１ａ部分レンズ群Ｌ１ａと第１ｂ部分レンズ群Ｌ１ｂが近接すると第１レンズ群Ｌ１の主点位置を物体側へ押し出せなくなり、望遠端における長焦点距離化が困難となる。
【００５２】
条件式（７）は、間隔Ｌａｂと、第２レンズ群Ｌ２の焦点距離との比を適切に設定するものである。条件式（７）の上限を超えて、第１ａ部分レンズ群Ｌ１ａと第１ｂ部分レンズ群Ｌ１ｂが近接すると、第１レンズ群Ｌ１の主点位置を物体側へ押し出せなくなり、望遠端における長焦点距離化が困難となる。条件式（７）の下限を超えて、第２レンズ群Ｌ２のパワーが強くなると、変倍に際して像面湾曲の変動や色収差の変動が多くなり、これらの諸収差の補正が困難となる。尚、各実施例において、収差補正上更に好ましくは、条件式（３）乃至（７）の数値範囲を次の如く設定するのが良い。
【００５３】
−８．０＜ｆ１ａ／ｆ２＜−２．５    ・・・（３ａ）
−１５．０＜ｆ１／ｆ２＜−５．５    ・・・（４ａ）
−０．７５＜ｆ２／ｆｗ＜−０．３３  ・・・（５ａ）
０．０５＜Ｌａｂ／ｆ１ａ＜０．５０  ・・・（６ａ）
−２．０＜Ｌａｂ／ｆ２＜−０．３    ・・・（７ａ）
【００５４】
より更に好ましくは、条件式（３ａ）乃至（７ａ）の数値範囲を次の如く設定するのが良い。
−６．５＜ｆ１ａ／ｆ２＜−２．８    ・・・（３ｂ）
−１０．０＜ｆ１／ｆ２＜−５．９    ・・・（４ｂ）
−０．７０＜ｆ２／ｆｗ＜−０．３５  ・・・（５ｂ）
０．０７＜Ｌａｂ／ｆ１ａ＜０．２１  ・・・（６ｂ）
−１．５＜Ｌａｂ／ｆ２＜−０．４    ・・・（７ｂ）
【００５５】
各実施例では、以上のように各レンズ群を構成することによって、全系が小型でありながら、望遠端の焦点距離が長く、かつ口径が大きく明るく、全ズーム範囲にわたり高い光学性能を得ている。
【００５６】
次に各実施例の各レンズ群のレンズ構成について説明する。実施例１のズームレンズは第１ａ部分レンズ群Ｌ１ａは２つの正レンズより構成され、第１ｂ部分レンズ群Ｌ１ｂは正レンズと負レンズとを接合した接合レンズより構成されている。第２レンズ群Ｌ２は物体側から像側へ順に、負レンズ、負レンズと正レンズとを接合した接合レンズより構成されている。第３レンズ群Ｌ３は物体側から像側へ順に、正レンズ、負レンズと正レンズとを接合した接合レンズより構成されている。
【００５７】
第４レンズ群Ｌ４は物体側から像側へ順に、正レンズと負レンズとを接合した接合レンズより構成されている。第５レンズ群Ｌ５は単一の正レンズより構成されている。
【００５８】
実施例２のズームレンズは実施例１に比べて第１ａ部分レンズ群Ｌ１ａ、第１ｂ部分レンズ群Ｌ１ｂ、第３レンズ群Ｌ３、第５レンズ群Ｌ５のレンズ構成が同じである。第２レンズ群Ｌ２は物体側から像側へ順に、負レンズ、負レンズ、正レンズより構成されている。第４レンズ群Ｌ４は単一の負レンズより構成されている。
【００５９】
実施例３のズームレンズは実施例１に比べて第３レンズ群Ｌ３と第５レンズ群Ｌ５のレンズ構成が同じである。第１ａ部分レンズ群Ｌ１ａは３つの正レンズより構成され、第１ｂ部分レンズ群Ｌ１ｂは単一の負レンズより構成されている。第２レンズ群Ｌ２は物体側から像側へ順に、負レンズ、負レンズ、正レンズより構成されている。第４レンズ群Ｌ４は単一の負レンズより構成されている。
【００６０】
実施例４のズームレンズは実施例１に比べて第１ａ部分レンズ群Ｌ１ａ、第１ｂ部分レンズ群Ｌ１ｂ、第２レンズ群Ｌ２、第４レンズ群Ｌ４、第５レンズ群Ｌ５のレンズ構成が同じである。第３レンズ群Ｌ３は物体側から像側へ順に、正レンズ、正レンズと負レンズとを接合した接合レンズ、正レンズより構成されている。
【００６１】
実施例５のズームレンズは実施例１に比べて第１ａ部分レンズ群Ｌ１ａ、第１ｂ部分レンズ群Ｌ１ｂ、第２レンズ群Ｌ２、第４レンズ群Ｌ４、第５レンズ群Ｌ５のレンズ構成が同じである。第３レンズ群Ｌ３は物体側から像側へ順に、正レンズ、負レンズと正レンズとを接合した接合レンズ、正レンズより構成されている。
【００６２】
実施例６のズームレンズは実施例１に比べて第１ｂ部分レンズ群Ｌ１ｂ、第２レンズ群Ｌ２、第４レンズ群Ｌ４、第５レンズ群Ｌ５のレンズ構成が同じである。第１ａ部分レンズ群Ｌ１ａは３つの正レンズより構成されている。第３レンズ群Ｌ３は物体側から像側へ順に、正レンズ、負レンズと正レンズとを接合した接合レンズ、正レンズより構成されている。
【００６３】
実施例７のズームレンズは実施例１に比べて第１ａ部分レンズ群Ｌ１ａ、第１ｂ部分レンズ群Ｌ１ｂ、第２レンズ群Ｌ２、第４レンズ群Ｌ４、第５レンズ群Ｌ５のレンズ構成が同じである。第３レンズ群Ｌ３は物体側から像側へ順に、正レンズ、正レンズと負レンズとを接合した接合レンズ、正レンズより構成されている。
【００６４】
実施例８のズームレンズは４群ズームレンズであり、実施例１乃至７の５群ズームレンズとはズームタイプが異なっている。実施例８のズームレンズは実施例１に比べて第１ａ部分レンズ群Ｌ１ａ、第１ｂ部分レンズ群Ｌ１ｂ、第２レンズ群Ｌ２のレンズ構成が同じである。第３レンズ群Ｌ３は物体側から像側へ順に、正レンズ、負レンズ、正レンズより構成されている。第４レンズ群Ｌ４は単一の正レンズより構成されている。
【００６５】
次に本発明のズームレンズを用いた撮像装置（監視カメラ）の実施例を図１７を用いて説明する。図１７において、１０は監視カメラ本体、１１は実施例１乃至８で説明したいずれかのズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。１３は固体撮像素子１２によって光電変換された被写体像に対応する情報を記録するメモリ（記録手段）である。１４は固体撮像素子１２によって光電変換された被写体像を転送するためのネットワークケーブルである。
【００６６】
この様に本発明のズームレンズを監視カメラ等の撮像装置に適用する事により、小型で高い光学性能を有する撮像装置が実現できる。なお、撮像素子にＣＣＤ等の電子撮像素子を用いれば、電子的に収差補正をする事で出力画像を更に高画質化する事ができる。
【００６７】
以上、本発明の好ましい実施形態について説明したが、本発明はこれらの実施形態に限定されず、その要旨の範囲内で種々の変形及び変更が可能である。
【００６８】
以下、実施例１〜８に対応する数値実施例１乃至８の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。最も像側の２つの面は光学ブロックＧＢに相当している。非球面形状は光軸方向にＸ軸、光軸と垂直方向にＨ軸、光の進行方向を正としＲを近軸曲率半径、Ｋを円錐定数、Ａ４，Ａ６，Ａ８を各々非球面係数としたとき、
【００６９】
【数１】
0006472237.tif 000002
【００７０】
なる式で表している。＊は非球面形状を有する面を意味している。「ｅ−ｘ」は１０-xを意味している。ＢＦはバックフォーカスであり、最終レンズ面からの空気換算での距離を示している。 
【００７１】
［数値実施例１］
単位 mm
面データ
面番号       r        d      nd         νd
1         64.161    4.70   1.48749    70.2           
2       -182.207    0.15                             
3         26.543    4.90   1.49700    81.5           
4         69.879    8.69                             
5         17.054    5.00   1.48749    70.2           
6        114.666    1.00   1.80610    33.3           
7         14.915  (可変)                             
8         51.297    0.60   1.83481    42.7           
9          9.031    4.60                             
10        -12.251    0.50   1.48749    70.2           
11         14.567    1.30   1.85478    24.8           
12        389.773  (可変)                             
13(絞り)    ∞       1.50                             
14*        13.353    3.50   1.69350    53.2           
15*       -25.580    1.76                             
16        109.640    0.60   1.85478    24.8           
17          7.900    4.50   1.69680    55.5           
18        -19.963  (可変)                             
19        164.928    2.20   1.94595    18.0           
20         -9.878    0.50   1.91082    35.3           
21          8.406  (可変)                             
22         12.810    2.60   1.48749    70.2           
23        -16.683    2.00                             
24          ∞       2.34   1.51633    64.1           
25          ∞       3.29                             
像面        ∞   
【００７２】
非球面データ
第14面
K =-3.36653e-001  A 4=-4.89021e-005  A 6= 5.99943e-007  A 8=-2.26933e-009  A10= 2.62646e-011  
第15面
K = 0.00000e+000  A 4= 1.25621e-004  A 6= 1.19175e-007  
各種データ
ズーム比     4.81 
広角     中間     望遠
焦点距離      17.86    45.54    85.85  
Fナンバー      1.85     2.03     2.47  
半画角（度）   9.54     3.77     2.00  
像高           3.00     3.00     3.00  
レンズ全長    82.90    82.90    82.90  
BF             6.84     6.84     6.84  
d 7            2.54    13.84    19.67  
d12           18.63     7.33     1.51  
d18            2.28     3.25     1.47  
d21            4.01     3.04     4.82  
【００７３】
［数値実施例２］
単位 mm
面データ
面番号       r        d      nd         νd
1         46.569    5.20   1.48749    70.2           
2      -1625.085    0.15                             
3         30.944    4.80   1.49700    81.5           
4         93.502    9.97                             
5         18.656    5.00   1.48749    70.2           
6        289.077    1.00   1.80610    33.3           
7         16.267  (可変)                             
8         23.763    0.60   1.83481    42.7           
9          8.833    1.79                             
10        -12.208    0.50   1.69680    55.5           
11         28.817    1.58                             
12         28.802    1.30   1.85478    24.8           
13        -54.459  (可変)                             
14(絞り)    ∞       1.50                             
15*        12.471    3.60   1.69350    53.2           
16*       -27.368    2.45                             
17         74.065    0.60   1.85478    24.8           
18          9.026    3.60   1.48749    70.2           
19        -18.383  (可変)                             
20        -64.502    0.55   1.63854    55.4           
21         10.376  (可変)                             
22         21.255    1.80   2.00100    29.1           
23        -35.167    2.00                             
24          ∞       2.34   1.51633    64.1           
25          ∞       3.31                             
像面        ∞   
【００７４】
非球面データ
第15面
K =-6.23510e-001  A 4=-3.47317e-005  A 6= 2.53574e-007  A 8= 1.50103e-009  
第16面
K = 0.00000e+000  A 4= 9.05548e-005  
各種データ
ズーム比     4.80 
広角     中間     望遠
焦点距離      17.89    46.22    85.85  
Fナンバー      1.85     2.10     2.47  
半画角（度）   9.52     3.71     2.00  
像高           3.00     3.00     3.00  
レンズ全長    84.20    84.20    84.20  
BF             6.85     6.85     6.85  
d 7            2.11    14.67    21.14  
d13           20.49     7.94     1.47  
d19            4.13     5.18     1.68  
d21            4.62     3.57     7.07  
【００７５】
［数値実施例３］
単位 mm
面データ
面番号       r        d      nd         νd
1         85.672    3.60   1.48749    70.2           
2       -220.569    0.15                             
3         40.056    4.20   1.49700    81.5           
4        178.292    0.15                             
5         24.838    4.50   1.49700    81.5           
6         59.639    9.32                             
7         62.096    1.00   1.85478    24.8           
8         20.292  (可変)                             
9        192.113    0.50   1.91082    35.3           
10         10.909    2.20                             
11        -12.423    0.50   1.77250    49.6           
12        -87.810    1.51                             
13         70.846    1.20   1.95906    17.5           
14        -42.199  (可変)                             
15(絞り)    ∞       1.50                             
16*        12.245    3.50   1.69350    53.2           
17*       -63.237    2.63                             
18         18.596    0.60   1.85478    24.8           
19          6.947    3.70   1.48749    70.2           
20       -150.996  (可変)                             
21        -85.804    0.50   1.48749    70.2           
22         14.160  (可変)                             
23         15.445    2.00   2.00100    29.1           
24        259.601    2.00                             
25          ∞       2.34   1.51633    64.1           
26          ∞       2.81                             
像面        ∞   
【００７６】
非球面データ
第16面
K = 6.36561e-002  A 4=-4.58066e-005  A 6=-6.41225e-008  A 8=-1.02282e-009  
第17面
K = 0.00000e+000  A 4= 4.78853e-005  
各種データ
ズーム比     4.81 
広角     中間     望遠
焦点距離      17.84    45.88    85.85  
Fナンバー      1.85     2.09     2.47  
半画角（度）   9.55     3.74     2.00  
像高           3.00     3.00     3.00  
レンズ全長    83.37    83.37    83.37  
BF             6.35     6.35     6.35  
d 8            2.39    14.89    21.32  
d14           20.41     7.91     1.48  
d20            4.80     7.41     1.57  
d22            6.15     3.54     9.39  
【００７７】
［数値実施例４］
単位 mm
面データ
面番号       r        d      nd         νd
1         55.220    5.14   1.48749    70.2           
2       -146.853    0.15                             
3         27.350    5.05   1.49700    81.5           
4         92.976    3.27                             
5         36.906    3.42   1.48749    70.2           
6        704.212    1.20   2.00069    25.5           
7         48.594  (可変)                             
8         42.924    0.70   1.91082    35.3           
9          9.395    4.31                             
10        -10.577    0.70   1.69680    55.5           
11         15.311    1.49   1.95906    17.5           
12        935.148  (可変)                             
13(絞り)    ∞       1.50                             
14*        11.810    3.76   1.69350    53.2           
15*       -41.581    1.15                             
16         10.900    2.78   1.48749    70.2           
17        312.999    0.80   2.00069    25.5           
18          8.584    0.72                             
19         14.327    2.20   1.65160    58.5           
20        -30.277  (可変)                             
21         24.627    1.45   1.94595    18.0           
22        -43.875    0.60   2.00100    29.1           
23          9.814  (可変)                             
24          9.524    2.10   1.77250    49.6           
25         45.611    2.30                             
26          ∞       2.34   1.51633    64.1           
27          ∞       3.23                             
像面        ∞   
【００７８】
非球面データ
第14面
K =-1.13361e+000  A 4= 2.98325e-005  A 6= 2.10785e-007  A 8= 1.95005e-009  
第15面
K = 0.00000e+000  A 4= 7.27073e-005  
各種データ
ズーム比     7.95 
広角     中間     望遠
焦点距離      10.86    50.59    86.29  
Fナンバー      1.85     2.16     2.47  
半画角（度）   15.44     3.39     1.99  
像高           3.00     3.00     3.00  
レンズ全長    79.19    79.19    79.19  
BF             7.07     7.07     7.07  
d 7            2.00    16.13    19.67  
d12           19.17     5.03     1.50  
d20            0.97     6.59     0.99  
d23            7.49     1.87     7.46  
【００７９】
［数値実施例５］
単位 mm
面データ
面番号       r        d      nd         νd
1         39.003    5.25   1.49700    81.5           
2       2003.993    0.15                             
3         29.600    5.06   1.49700    81.5           
4        133.970    7.32                             
5         26.212    4.32   1.48749    70.2           
6       -145.479    1.00   1.90366    31.3           
7         29.218  (可変)                             
8         25.860    0.60   2.00100    29.1           
9          7.797    3.39                             
10         -8.273    0.50   1.69680    55.5           
11         14.965    1.17   1.95906    17.5           
12        -74.060  (可変)                             
13(絞り)    ∞       1.50                             
14*        11.195    5.08   1.58313    59.4           
15*       -26.126    1.26                             
16         18.549    0.60   2.00069    25.5           
17          8.162    4.20   1.48749    70.2           
18        105.025    0.14                             
19         29.533    2.19   1.48749    70.2           
20        -22.733  (可変)                             
21         97.689    1.60   1.95906    17.5           
22        -13.404    0.50   2.00100    29.1           
23         11.210  (可変)                             
24         10.880    1.69   1.60342    38.0           
25        304.611    2.02                             
26          ∞       2.34   1.51633    64.1           
27          ∞       3.31                             
像面        ∞   
【００８０】
非球面データ
第14面
K =-3.23085e-001  A 4=-7.60166e-005  A 6= 2.46678e-007  A 8=-4.90244e-010  
第15面
K =-9.56626e-001  A 4= 9.23051e-005  
各種データ
ズーム比     7.69 
広角     中間     望遠
焦点距離      17.66    53.84   135.81  
Fナンバー      1.85     2.85     3.91  
半画角（度）   9.64     3.19     1.27  
像高           3.00     3.00     3.00  
レンズ全長    82.90    82.90    82.90  
BF             6.87     6.87     6.87  
d 7            3.91    13.52    18.47  
d12           16.03     6.42     1.47  
d20            3.79     7.18     0.98  
d23            4.76     1.38     7.57  
【００８１】
［数値実施例６］
単位 mm
面データ
面番号       r        d      nd         νd
1        251.230    2.30   1.48749    70.2           
2       -174.561    0.15                             
3         27.272    5.98   1.49700    81.5           
4        112.640    0.15                             
5         25.695    4.52   1.49700    81.5           
6         71.700    4.44                             
7         19.249    4.72   1.48749    70.2           
8       -376.639    1.00   1.91082    35.3           
9         14.245  (可変)                             
10         28.804    0.60   2.00100    29.1           
11          9.048    3.29                             
12         -9.356    0.50   1.69680    55.5           
13         16.344    1.19   1.95906    17.5           
14        -96.366  (可変)                             
15(絞り)    ∞       1.50                             
16*        11.416    4.61   1.58313    59.4           
17*       -28.700    1.12                             
18         18.972    0.60   2.00069    25.5           
19          8.356    3.68   1.48749    70.2           
20         74.522    0.69                             
21         33.681    2.20   1.48749    70.2           
22        -23.227  (可変)                             
23         49.591    1.71   1.95906    17.5           
24        -15.398    0.50   2.00100    29.1           
25         11.205  (可変)                             
26         12.011    1.76   1.60342    38.0           
27       -169.396    2.00                             
28          ∞       2.34   1.51633    64.1           
29          ∞       3.30                             
像面        ∞   
【００８２】
非球面データ
第16面
K =-4.19849e-001  A 4=-5.61616e-005  A 6= 2.28336e-007  A 8= 7.25490e-011  
第17面
K =-3.98168e+000  A 4= 6.97491e-005  
各種データ
ズーム比     7.69 
広角     中間     望遠
焦点距離      17.66    54.67   135.81  
Fナンバー      1.85     2.83     3.91  
半画角（度）   9.64     3.14     1.27  
像高           3.00     3.00     3.00  
レンズ全長    82.90    82.90    82.90  
BF             6.84     6.84     6.84  
d 9            1.40    12.83    18.72  
d14           18.80     7.37     1.49  
d22            3.28     7.03     1.00  
d25            5.37     1.62     7.65  
【００８３】
［数値実施例７］
単位 mm
面データ
面番号       r        d      nd         νd
1         45.621    5.50   1.48749    70.2           
2       -262.608    0.15                             
3         26.993    5.00   1.49700    81.5           
4         73.966   10.15                             
5         25.972    4.00   1.48749    70.2           
6       -237.764    1.20   1.85478    24.8           
7         27.643  (可変)                             
8         54.786    0.70   2.00100    29.1           
9          9.218    3.05                             
10         -9.185    0.70   1.77250    49.6           
11         18.217    1.60   1.95906    17.5           
12        -37.555  (可変)                             
13(絞り)    ∞       1.50                             
14*        12.404    3.40   1.69350    53.2           
15*       -33.298    0.15                             
16         10.310    2.80   1.48749    70.2           
17        149.183    0.80   2.00069    25.5           
18          8.616    1.65                             
19         15.457    2.40   1.65160    58.5           
20        -29.305  (可変)                             
21         45.802    2.40   1.85478    24.8           
22        -10.686    0.60   1.91082    35.3           
23         12.831  (可変)                             
24         11.784    2.00   1.80400    46.6           
25        491.900    2.02                             
26          ∞       2.34   1.51633    64.1           
27          ∞       3.28                             
像面        ∞   
【００８４】
非球面データ
第14面
K = 6.48237e-002  A 4=-4.87956e-005  A 6= 4.98814e-008  A 8=-1.98583e-010  
第15面
K = 0.00000e+000  A 4= 8.28321e-005  
各種データ
ズーム比     4.95 
広角     中間     望遠
焦点距離      17.44    58.10    86.29  
Fナンバー      1.85     2.22     2.47  
半画角（度）   9.76     2.96     1.99  
像高           3.00     3.00     3.00  
レンズ全長    79.21    79.21    79.21  
BF             6.84     6.84     6.84  
d 7            2.19    11.77    14.16  
d12           13.45     3.87     1.48  
d20            2.74     5.48     0.99  
d23            4.23     1.50     5.99  
【００８５】
［数値実施例８］
単位 mm
面データ
面番号       r        d      nd         νd
1         60.785    4.35   1.48749    70.2           
2       -233.420    0.15                             
3         26.269    6.28   1.49700    81.5           
4        166.295    6.34                             
5         27.129    5.83   1.48749    70.2           
6       -128.561    1.20   1.90366    31.3           
7         24.540  (可変)                             
8         32.816    0.70   2.00100    29.1           
9          9.886    2.71                             
10         -9.293    0.70   1.69680    55.5           
11         22.115    1.43   1.95906    17.5           
12        -53.299  (可変)                             
13*         9.359    3.90   1.69350    53.2           
14*       -36.781    1.18                             
15(絞り)    ∞       2.20                             
16        -16.465    0.60   1.85478    24.8           
17          9.121    0.34                             
18         12.877    2.67   1.48749    70.2           
19        -14.437  (可変)                             
20         16.996    2.04   1.91082    35.3           
21       -105.990  (可変)                             
22          ∞       2.34   1.51633    64.1           
23          ∞       4.00                             
像面        ∞   
【００８６】
非球面データ
第13面
K =-5.72217e-001  A 4= 5.33522e-005  A 6= 2.24784e-007  A 8=-1.30744e-008  
第14面
K = 0.00000e+000  A 4= 1.34763e-004  A 6=-1.93585e-006  
各種データ
ズーム比     5.00 
広角     中間     望遠
焦点距離      17.26    48.58    86.34  
Fナンバー      1.85     2.03     2.47  
半画角（度）   9.86     3.53     1.99  
像高           3.00     3.00     3.00  
レンズ全長    79.30    79.30    79.30  
BF            12.55    14.90    11.19  
d 7            2.14    12.28    16.63  
d12           15.45     5.31     0.96  
d19            6.54     4.18     7.89  
d21            7.00     9.36     5.65  
【００８７】
前述の各条件式と数値実施例における諸数値との関係を表１に示す。
【００８８】
【表１】
0006472237.tif 000003
【符号の説明】
【００８９】
Ｌ１  第１レンズ群    Ｌ２  第２レンズ群    Ｌ３  第３レンズ群
Ｌ４  第４レンズ群    Ｌ５  第５レンズ群    ＳＰ  絞り    ＩＰ  像面
ＧＢ  ガラスブロック
【図１】
0006472237.tif 000004
【図２】
0006472237.tif 000005
【図３】
0006472237.tif 000006
【図４】
0006472237.tif 000007
【図５】
0006472237.tif 000008
【図６】
0006472237.tif 000009
【図７】
0006472237.tif 000010
【図８】
0006472237.tif 000011
【図９】
0006472237.tif 000012
【図１０】
0006472237.tif 000013
【図１１】
0006472237.tif 000014
【図１２】
0006472237.tif 000015
【図１３】
0006472237.tif 000016
【図１４】
0006472237.tif 000017
【図１５】
0006472237.tif 000018
【図１６】
0006472237.tif 000019
【図１７】
0006472237.tif 000020